(57)【要約】【課題】 頭髪エステとエステの両者を一つの店舗で効率よくしかも経済的に行うことができるとともに、入店し易いばかりか頭髪エステとエステを効率よく施術してもらうことが可能な総合エステ室の店舗構造を提供。【解決手段】  複数の頭髪エステ室２ａ，２ｂと、複数のエステ室３ａ，３ｂと、頭髪エステ室２ａ，２ｂを使用するかエステ室３ａ，３ｂを使用するかを選択するための受付カウンタ６とを有するとともに、頭髪エステ室２ａ，２ｂとエステ室３ａ，３ｂとが受付カウンタ６に通じる共通の通路４で連結されている。【選択図】  図１
2005248593.tif 000002
【特許請求の範囲】
【請求項１】
複数の頭髪エステ室と、複数のエステ室と、前記頭髪エステ室を使用するかエステ室を使用するかを選択するための受付カウンタとを有するとともに、前記頭髪エステ室とエステ室とが前記受付カウンタに通じる共通の通路で連結されていることを特徴とする総合エステ室の店舗構造。
【請求項２】
前記頭髪エステ室又はエステ室にて行われる施術のメニューを決めるためのカウンセリング室を有し、前記カウンセリング室が前記共通の通路に通じている請求項１に記載の総合エステ室の店舗構造。
【請求項３】
前記頭髪エステ室又はエステ室にて頭髪エステ又はエステ施術後に自身で整髪やメイクを行う仕上げ室を有し、前記仕上げ室が前記共通の通路に通じている請求項１または２に記載の総合エステ室の店舗構造
【請求項４】
前記共通の通路に通じるスタッフ室を有する請求項１，２または３に記載の総合エステ室の店舗構造。
【請求項５】
前記共通の通路に通じる待合室を有する請求項１，２，３または４に記載の総合エステ室の店舗構造。
【発明の詳細な説明】
【技術分野】
【０００１】
本発明は、例えば頭皮マッサージや頭髪滋養を目的とした頭髪エステを行う頭髪エステ室と顔や身体部分を美しくするためのエステ室とを備えた総合エステ室の店舗構造に関するものである。
【背景技術】
【０００２】
従来、エステティシャンが肌に関してサービスを行うエステは知られているが、頭髪エステを行う店舗は一部のかつら業者や養毛業者に限られていた。
【０００３】
頭髪エステとエステはそれぞれエステという観点からは共通性があり、これらを合わせて総合エステとして施術をしたいという要望もあるが、最近流行っているエステでは頭皮や頭髪についてのエステ施術は行っておらずそれぞれ別々の店舗を構えて営業しているのが現状である。
【０００４】
従って、頭髪エステとエステとの両方を施術しようとする場合にはそれぞれ別に店舗を構える必要があり、特に、待合室、カウンセリング室、受付カウンターなどの設置、更には、顧客管理や経理に関する用具やスタッフなどもそれぞれ別に必要であり経済的に不利である。
【０００５】
また、頭髪エステを行う店舗は一部のかつら業者や養毛業者に限られていることから、その店舗に出向くことは頭髪に関する施術を受けることであり、通常、一般のエステと異なり、頭髪の滋養的な施術を受けることは他人に知られたくなく、店舗に入りにくいと言う問題もある。
【０００６】
更に、従来の頭髪エステ店やエステ店は、頭髪エステやエステの施術で崩れたメイクや頭髪までは整える場所がなく、自宅に戻るか公共のトイレなどの化粧室を利用して崩れたメイクや整髪を直さなければならなかった。
【発明の開示】
【発明が解決しようとする課題】
【０００７】
本発明が解決しようとする課題は、頭髪エステとエステの両者を一つの店舗で効率よくしかも経済的に行うことができるとともに、入店し易いばかりか頭髪エステとエステを効率よく施術してもらうことが可能な総合エステ室の店舗構造を提供することである。
【課題を解決するための手段】
【０００８】
前記課題を解決するため、本発明である総合エステ室の店舗構造は、頭髪エステ用椅子を配置した複数の頭髪エステ室と、エステ台を配置した複数のエステ室と、前記頭髪エステ室を使用するかエステ室を使用するかを選択するための受付カウンタとを有するとともに、前記頭髪エステ室とエステ室とが前記受付カウンタに通じる共通の通路で連結されていることを特徴とする。
【０００９】
また、前記共通の通路に通じる前記頭髪エステ室又はエステ室にて行われる施術のメニューを決めるためのカウンセリング室、頭髪エステ又はエステ施術後に自身で整髪やメイクを行う仕上げ室、スタッフ室、待合室を有すると更に便利であり、効率がよい。
【発明の効果】
【００１０】
頭髪エステ用椅子を配置した複数の頭髪エステ室と、エステ台を配置した複数のエステ室とを一つの建物内に配置するとともに、受付カウンタで頭髪エステ室を使用するかエステ室を使用するかあるいは両方を使用するかを選択するとともに、カウンセリング室で施術のメニューを決め、そのまま、共通の通路で連結されている頭髪エステ室またはエステ室へと行くことができ、両者を使用する場合にも共通の通路を通って行き来することができる。殊に、頭髪エステをエステと同時に行うこともできる。
【００１１】
また、混雑時には客は共通の待合室で待機すればよい。
【００１２】
更に、頭髪エステ室又はエステ室にて頭髪エステ又はエステ施術後に仕上げ室において自身で整髪やメイクを行うことができる。
【発明を実施するための最良の形態】
【００１３】
次に、本発明を実施するための最良の形態について説明する。
【００１４】
図１は本発明の好ましい実施の形態を示すものであり、一つの建物のワンフロアーに、頭髪エステ用椅子２１を配置した複数の頭髪エステ室２ａ，２ｂと、エステ台３１を配置した複数のエステ室３ａ，３ｂがそれらの扉２２，３２側の前面に配置した共通の通路４により連結されている。つまり、共通の通路４を通って頭髪エステ室２ａ，２ｂおよびエステ室３ａ，３ｂへの出入りが可能に配置されている。
【００１５】
そして、共通の通路４の前方（図で示す左側）に位置する建物１の出入口５（つまり、店舗の入口）方向には、受付カウンター６が配置されており、更に、この受付カウンター６の側方には待合室７とカウンセリング室８とが並設されている。
【００１６】
更にまた、カウンセリング室８の隣には頭髪エステ室２ａ，２ｂ又はエステ室３ａ，３ｂにて頭髪エステ又はエステ施術後に自身で整髪やメイクを行うたための仕上げ室９、トイレ１０およびスタッフ室１１が前記共通の通路４を挟んで前記頭髪エステ室２ａ，２ｂおよびエステ室３ａ，３ｂに対峙して配置されている。
【００１７】
次に。以上の構成を有する本実施の形態は、まず、客は建物１の出入口５（つまり、店舗の入口）から店内に入る。店内に入った所に受付カウンター６が配置されており、ここで、受付者が客の来店の目的、即ち、頭髪エステを望むのかエステを望むのか或いは両者を望むのかを選択させ、スタッフ室１１に待機している専用のスタッフに引き継ぐ。尚、要望のあるスタッフが施術中や頭髪エステ室２ａ，２ｂおよびエステ室３ａ，３ｂが使用中の場合には、待合室７に案内して待機してもらう。
【００１８】
次に、頭髪エステまたはエステの担当者が共通の通路４を使って客をカウンセリング室８に案内し、カウンセリングを行い施術のメニューを決定する。このとき、例えばカウンセリングシートに必要事項を記載してもらい担当者と質疑応答をして定めることもできるし、予めデータを蓄積させたコンピューターを用いてもよい。このカウンセリングは、客が選択した頭髪エステまたはエステを施術するための頭髪エステ室２ａ，２ｂまたはエステ室３ａ，３ｂが満室の場合には、その間に行っておくことにより客および施術者の両者にとって時間の節約が図れる。
【００１９】
そして、次に、メニューが決定したら、カウンセリング室８に続く共通の通路４を介して頭髪エステ室２ａ，２ｂおよびエステ室３ａ，３ｂのいずれかに案内し、各頭髪エステ室２ａ，２ｂおよびエステ室３ａ，３ｂ内で必要であれば従来周知の各種の器具や装置を用いて髪の状態や肌の状態をチェックし、使用する化粧料やエステ材などをお客に合わせて選択し、前記のメニューに従って施術する。尚、客が持参した荷物や衣類は、各頭髪エステ室２ａ，２ｂおよびエステ室３ａ，３ｂ内において個別に保管する場合が確実で安全であるが、客が一々持ちながら店舗内を移動するのが面倒であるならば受付カウンター６の箇所で保管してもよい。
【００２０】
次に、各頭髪エステ室２ａ，２ｂおよびエステ室３ａ，３ｂ内で所望の施術が行われた後、客は、急ぐ場合は直ぐに受付カウンター６において料金を支払って帰路に着くが、一旦、共通の通路４を通って仕上げ室９に行き自身で整髪やメイクを行うたための仕上げを行った後精算してもよい。特に、頭髪エステを施術した客はメイクが崩れたりするので再度メイクを施し、エステを施術した客は整髪を含めてメイクが必要な場合が多いのでこれらを施した後に店を出ることによりそのまま目的地に出掛けることができるのできわめて便利である。
【００２１】
前記仕上げ室９には、ドレッサー、ドライヤー、ブラシ、化粧セット、整髪セットなどを衛生的な手段により保管しておき自由に使用してもらうとよく、必要であれば専門のアドバイザーを配属しておいてもよい。
【００２２】
また、受付カウンター６では使用した化粧品を販売したり次回の予約をしたりすることもできる。
【００２３】
以上のように本実施の形態では、複数の頭髪エステ室２ａ，２ｂまたはエステ室３ａ，３ｂとを共通の通路４により連結されているとともに、共通の通路４には受付カウンター６や待合室９やカウンセリング室８が通じているので１つの建物（店舗）１において有効に且つ効率よく頭髪エステ及びエステを施術することができるので、それぞれの店舗を構える場合に比べて少ない設備と人員で営業することが可能であり、きわめて経済的に優れているばかりか、お客にとってもその店舗に行けば頭髪エステ及びエステ更にはその両方を施術してもらうことができるので時間や経費の節約ができて便利である。
【００２４】
尚、本実施の形態は、ワンフロアーの場合を示したが、本発明はワンフロアーに限るものでなく、複数階の建物についても同様に実施することができることはいうまでもない。
【００２５】
更に、本実施の形態では比較的小規模な店舗の場合を示したので、店舗内の連絡や案内、更には各種の伝達などについて紙面や人手を介して行うことで経済的な運営をはかることが可能であるが、規模によっては電子的な伝達方式やデーター処理を行うことにより効率よく運営することも可能である。
【００２６】
更にまた、本実施の形態では頭髪エステ室２ａ，２ｂに頭髪エステ用椅子２１を配置して頭髪エステするものであり、頭髪エステを含めて全身のエステを施術することができ、メイクや頭髪エステが乱れた場合には仕上げ室９に行き自身で整髪やメイクを行うことが可能であることから特に理容師や美容師を必要としない。
【図面の簡単な説明】
【００２７】
【図１】本発明の好ましい実施の形態を示す平面配置図。
【符号の説明】
【００２８】
１  建物、  ２ａ，２ｂ  頭髪エステ室、  ３ａ，３ｂ  エステ室、  ４  共通の通路、  ６  受付カウンター、  ７  待合室、  ８  カウンセリング室、  ９  仕上げ室、  １１  スタッフ室、  ２１  頭髪エステ用椅子、  ３１  エステ台
【図１】
2005248593.tif 000003